(57)【特許請求の範囲】
【請求項１】
一側の角にヒンジ形状が反映されている固定ボディと、
固定ボディに一部分が固定され、固定されていない残りの部分はヒンジの外面（ｏｕｔｅｒ  ｓｕｒｆａｃｅ）に映像が表示される面の反対面が支持された状態でフォールディング及びオープンが行われるフレキシブルな表示手段（ｆｌｅｘｉｂｌｅ  ｄｉｓｐｌａｙ  ｍｅａｎｓ）と、
前記固定ボディのヒンジに回動可能な状態で組み立てられる蓋板を備え、
前記蓋板は、前記フレキシブルな表示手段が完全な平面をなすオープンされた状態で、更にオープン回転方向に所定角度回転可能であり、
前記蓋板は、前記フレキシブルな表示手段の固定されていない部分の支持及びスライディング（ｓｌｉｄｉｎｇ）のためのガイド壁を備え、
前記ガイド壁のヒンジに隣接した一側部位には、前記蓋板が前記フレキシブルな表示手段が完全な平面をなすオープンされた状態で、更にオープン回転方向に所定角度回転できるように前記フレキシブルな表示手段の曲面形成部位とガイド壁の領域干渉を防止するために除去された領域である第２の干渉回避部（ａ  ｓｅｃｏｎｄ  ｓｐａｃｅ  ｆｏｒ  ｉｎｔｅｒｆｅｒｅｎｃｅ  ａｖｏｉｄａｎｃｅ）を有することを特徴とする、
１８０度以上オープン可能なフレキシブル表示装置（ｆｌｅｘｉｂｌｅ  ｄｉｓｐｌａｙ  ａｐｐａｒａｔｕｓ）。
【請求項２】
第２の干渉回避部は、  
固定ボディのヒンジ回転軸中心点Ｏと、
固定ボディと蓋板のヒンジの外面半径ｒと、  
蓋板の１８０度以上オープン回転完了時フレキシブルな表示手段が固定ボディに固定される面を基準にヒンジ回転軸の反対側に中心を有して形成されるフレキシブルな表示手段の映像が表示される面の曲面半径Ｒと、  
蓋板の１８０度以上オープン回転角度（Ｏｖｅｒ  Ｕｎｆｏｌｄｉｎｇ  Ａｎｇｌｅ）ＯＵＡと、  
封止工程が完了されたフレキシブルな表示手段の厚さＴと、  
フレキシブルな表示手段の完全な平面状態時フレキシブルな表示手段の映像が表示される面の反対面とヒンジの外面が接する接点Ｎとを含む中心点Ｏを基準とする直角座標系において、
交点ＮのＸ軸座標は０、Ｙ軸座標はｒであり、  
交点Ｎからフレキシブルな表示手段がヒンジ回転軸から離れてスライディングされる方向に（Ｒ＋ｒ＋Ｔ）×ｔａｎ（１／２×ＯＵＡ）の距離を含む部分がガイド壁から除去される第２の干渉回避部が形成されることを特徴とする請求項１に記載の１８０度以上オープン可能なフレキシブル表示装置。
【発明の詳細な説明】
【技術分野】
【０００１】
本発明は、フォールディング及びオープンが自由なフレキシブルパネル又は電子ペーパーのようなフレキシブルな表示手段が適用された折り畳み式フレキシブル表示装置に関するものであって、より詳しくは一部分が固定され、固定されていない残りの部分はヒンジの外面に支持されてフォールディング及びオープンが自由なフレキシブルな表示手段が映像が表示される面が完全な平面をなす状態でオープンされた後、同じオープン回転方向に追加的なオープン回転が行われて映像が表示される面がＶ字形態をなす１８０度以上オープン可能なフレキシブル表示装置に関するものである。
【背景技術】
【０００２】
表示装置は、映像機器、ノート型パソコン、モニター及びモバイル通信機器を含む電子装置において重要な部分を占めており、従前の板状の形を保持するＬＣＤパネル以外に曲がること及びフォールディングが可能なフレキシブルパネル及び電子ペーパーのようなフレキシブルな表示手段を披露している。
【０００３】
フレキシブルな表示手段を映像機器及び通信機器に適用することにおいて、映像表示面が外面に向けて互いに背にした状態で中央部分が直接折れる方式の特許（韓国特許出願第：１０−２００８−００１２６６７）、フレキシブルな表示手段の一側終端を直接固定させずにヒンジの反対側に位置した角の内部のローラーを用いて内側面に方向転換させた後、方向転換されたフレキシブルな表示手段の一側終端にスプリングを適用して長さ変化を吸収するヒンジが反映された特許（韓国特許出願第：１０−２０１０−００６２７８７）及びヒンジの機能を代替するリンク部材を適用してオープン及びフォールディングの時、フォールディングが発生する角の部分の円周の長さに相当する部分の長さ変化をリンク部材が吸収するリンク部材が適用された特許（韓国特許出願第１０−２０１２−００６８７１０）を含む多数の特許が提示された。  
【０００４】
しかし、映像表示面が外面に向けて互いに背にした状態で中央部分が直接折れる方式の特許（韓国特許出願第１０−２００８−００１２６６７）は、オープンされたノート型パソコンのような状態を保持することができるが、重量配分の不安定性によって後ろに倒れ得て、且つフレキシブルな表示手段及び関連構成品の伸縮性が不足して曲がれる部分、または固定されたいずれか一方の終端が損なわれる可能性が存在する。
【０００５】
ヒンジが反映された特許（韓国特許出願第１０−２０１０−００６２７８７）及びリンク部材が適用された特許（韓国特許出願第１０−２０１２−００６８７１０）は、曲がった所でフレキシブルな表示手段及び関連構成品の損傷は発生しないが、オープンされたノート型パソコンのような状態であって、１８０度以上オープンすることは不可能である。  
【先行技術文献】
【特許文献】
【０００６】
【特許文献１】韓国特許出願第１０−２００８−００１２６６７
【特許文献２】韓国特許出願第１０−２０１０−００６２７８７
【特許文献３】韓国特許出願第１０−２０１２−００６８７１０
【発明の概要】
【発明が解決しようとする課題】
【０００７】
本発明が成し遂げようとする技術的課題は、一部分が固定され、固定されていない残りの部分はヒンジの外面に映像が表示される面の反対面が支持されてフォールディング及びオープンが自由なフレキシブルな表示手段が完全な平面をなす状態でオープンが行われること以外にも、完全な平面をなす状態でオープンされた後、同じオープン回転方向に追加的なオープン回転が行われて映像が表示される面がＶ字形態をなす１８０度以上オープンできるようにすることにある。
【課題を解決するための手段】
【０００８】
前記技術的課題を達成するための本発明の一実施例によると、一側の角にヒンジ形状が反映されており、ヒンジに回動可能な状態で組み立てられる構成品の１８０度以上オープン回転によって発生する構成品との領域オーバーラップを避けるため、ヒンジに隣接した領域オーバーラップ可能部位である第１の干渉回避部が除去された形状が反映された固定ボディ、固定ボディに一部分が固定され、固定されていない残りの部分はヒンジの外面に映像が表示される面の反対面が支持された状態で固定ボディのヒンジに回動可能な状態で組み立てられる構成品の回転によってフォールディング及びオープンが行われるフレキシブルな表示手段、固定ボディのヒンジに回動可能な状態で組み立てられる構成品として固定ボディとのヒンジ結合のための形状が一側に形成されており、フレキシブルな表示手段の固定されていない部分の支持及びスライディングのためのガイド壁が形成されており、１８０度以上オープン回転時形成されるフレキシブルな表示手段の曲面形成部分とガイド壁の領域オーバーラップを避けるため、ガイド壁の領域オーバーラップ可能部位である第２の干渉回避部が除去された形状がヒンジの隣接したガイド壁の一側終端に反映されている蓋板、１８０度以上オープンする時形成されるフレキシブルな表示手段の曲面形成部分から外れて、固定ボディ側に位置するフレキシブルな表示手段の上部面の周りを圧迫しながら、固定ボディに固定される固定板、固定ボディに組み立てられヒンジのフォールディング及びオープンを感知するフォールディング感知センサーを含むことができる。
【発明の効果】
【０００９】
上述の本発明の実施例によると、一部分が固定され、固定されていない残りの部分はヒンジの外面に映像が表示される面の反対面が支持されてフォールディング及びオープンが自由なフレキシブルな表示手段が完全な平面をなす状態で蓋板がオープン回転された後、同じオープン回転方向に蓋板の追加的なオープン回転が行われてオープンされたノート型パソコンのような状態である映像が表示される面がＶ字形態をなす１８０度以上オープンが可能になり、これを通じて次のような長所を有するようになる。
【００１０】
第一に、映像が表示される面が完全平面ではなく、ヒンジの回転軸を中心に緩やかなＶ字形態を有するように調節することによって、使用者が立体的に注視することができるようになる。
【００１１】
第二に、フレキシブルな表示手段を折りたたんで持ち歩く携帯の利便性以外にもノート型パソコンのように映像が表示される面の一部分は傾いて立てられ、残りの部分は使用者のタッチ入力が容易なるように寝かせた姿勢を保持できるようになる。
【図面の簡単な説明】
【００１２】
【図１】完全にオープンされる角より大きな角に、つまり１８０度以上のオープンが許されないフレキシブル表示装置の例示図である。
【図２】図１に適用されたフレキシブルな表示手段のヒンジオープン角度変化による適用区間別の変化を示す概念図である。
【図３】図１の場合にフレキシブルな表示手段が完全な平面をなす状態で蓋板がオープン回転された後、同じオープン回転方向に蓋板の追加的なオープン回転を強制的に進行時発生するオーバーラップ発生部位及び剥離発生部位を示す正面図及び平面図である。
【図４】図３の切断面Ａ−Ａ部位の断面図及びオーバーラップの発生を示す部分詳細図である。
【図５】図３の切断面Ｂ−Ｂ部位の断面図及びオーバーラップの発生を示す部分詳細図である。
【図６】図１に適用され、１８０度以上オープンする時オーバーラップが発生される固定ボディの平面図、正面図及び断面図である。
【図７】図１に適用され、１８０度以上オープンする時オーバーラップが発生される蓋板の平面図、正面図及び側面図である。
【図８】図３、図４及び図５におけるオーバーラップ発生部位を除去した固定ボディ、蓋板及び固定板が適用された一例の斜視図である。
【図９】図８の一例において、１８０度以上オープンする時、図５で発生したオーバーラップが発生しないことを示す斜視図である。
【図１０】図８の一例において、１８０度以上オープンする時、フレキシブルな表示手段の適用区間別変化を示す概念図である。
【図１１】図８の場合に、完全にオープンされる角より大きな角に、つまり１８０度以上オープンする時発生するオーバーラップ発生部位を示す平面図及び正面図である。
【図１２】図１１の切断面Ｃ−Ｃ部位の断面図及びオーバーラップが発生しないことを示す部分詳細図である。
【図１３】図１１の切断面Ｄ−Ｄ部位の断面図及びオーバーラップが発生しないことを示す部分詳細図である。
【図１４】図８の一例において、１８０度以上オープンができるようにオーバーラップ発生部位が除去された固定ボディの平面図及び正面図である。
【図１５】図８の一例において、１８０度以上オープンができるようにオーバーラップ発生部位が除去された蓋板の平面図、正面図及び側面図である。
【図１６】図８の一例において、１８０度以上オープンができるように除去すべきオーバーラップ発生部位を幾何学的に示す概念図である。
【発明を実施するための形態】
【００１３】
以下の添付された図面を参照して本発明の好ましい実施例を詳細に説明することとする。本明細書で使用された用語は、本発明の実施例を説明するためのものであり、本発明を制限するものではない。本明細書において単数形は特に言及しない限り複数形も含む。また、好ましい実施例によるものであるため、説明の手順に応じて提示される参照符号はその手順に必ずしも限定されていない。
【００１４】
図１は、完全にオープンされる角より大きな角に、つまり１８０度以上オープンが許されないフレキシブル表示装置の例示図であり、図２は、図１に適用されたフレキシブルな表示手段２０のヒンジオープン角度変化による適用区間別変化を示す概念図である。
【００１５】
図１に示された通り、フレキシブルな表示手段２０が適用されたフレキシブル表示装置は、一側の角にヒンジ形状が反映されている固定ボディ１０、固定ボディ１０に一部分が固定され、固定されていない残りの部分はヒンジの外面に映像が表示される面の反対面が支持された状態でフォールディング及びオープンが行われるフレキシブルな表示手段２０、固定ボディ１０とのヒンジ結合のための形状が一側に形成されており、フレキシブルな表示手段２０の固定されていない部分の支持及びスライディングのためのガイド壁３１が形成されており、固定ボディ１０のヒンジに回動可能な状態で組み立てられる蓋板３０、固定ボディ１０側に位置するフレキシブルな表示手段２０の上部面の周りを圧迫しながら、固定ボディ１０に固定される固定板４０を含めて構成される。
【００１６】
図２において、フレキシブルな表示手段２０のＡ部分は固定ボディ１０に固定されてフォールディング及びオープンが自由でない部分であり、Ｂ部分は蓋板３０のオープン角度変化によって、ヒンジの外面に一部分は曲面を保持して支持され、残りの部分はヒンジの外面を外れて平面に転換されて蓋板にスライディング支持される部分であって、曲面と平面の転換が行われる部分であり、残りのＣ部分は蓋板３０のオープン角度に影響を受けない平面状態を常に保ち、蓋板３０にスライディング支持される部分である。
【００１７】
図２に示された通り、固定ボディ１０のヒンジに回動可能な状態で組み立てられている蓋板３０が回転すると、ヒンジの外面と接触して支持されるフレキシブルな表示手段２０部分は、完全フォールディング状態で最大となり、映像が表示される面が完全平面をなす完全オープン状態では最小値を有するようになる。
【００１８】
図１及び図２において、固定ボディ１０に蓋板３０が折れている状態で蓋板３０がオープン回転して映像が表示される面が完全平面をなす完全オープン状態への切り替えは、意図的な制限要素が構造的に適用されない限り、容易に遂行できることが分かる。
【００１９】
図３は、図１の場合にフレキシブルな表示手段が完全な平面をなす状態で蓋板がオープン回転された後、同じオープン回転方向に蓋板の追加的なオープン回転を強制的に進行時に発生するオーバーラップ発生部位及び剥離発生部位を示す正面図及び平面図であり、図４は、図３の切断面Ａ−Ａ部位の断面図及びオーバーラップの発生を示す部分詳細図であり、図５は、図３の切断面Ｂ−Ｂ部位の断面図及びオーバーラップの発生を示す部分詳細図であり、図６は、図１に適用されて１８０度以上オープンする時オーバーラップが発生される固定ボディの平面図、正面図及び断面図であり、図７は、図１に適用されて１８０度以上オープンする時オーバーラップが発生される蓋板の平面図、正面図及び側面図である。
【００２０】
図３、図４及び図５に示された通り、フレキシブルな表示手段２０が完全平面をなす完全オープン状態で蓋板３０のオープン回転を同じオープン方向に追加進行させようとする場合、図１の構成品である固定ボディ１０と蓋板３０、フレキシブルな表示手段２０と蓋板３０のガイド壁３１、フレキシブルな表示手段２０と固定板４０のヒンジが隣接した終端部分の間に領域オーバーラップが発生し得る。
ここでＹ１は、フレキシブルな表示手段２０が完全平面をなすように固定ボディ１０にフォールディングの状態で保持された蓋板３０がオープン回転する完全平面形成角度であり、Ｙ２はフレキシブルな表示手段２０が完全な平面をなす状態で蓋板３０がオープン回転された後、同じオープン回転方向に蓋板３０の１８０度以上オープンの回転が行われた１８０度以上オープン回転角度（Ｏｖｅｒ  Ｕｎｆｏｌｄｉｎｇ  Ａｎｇｌｅ）である。
【００２１】
また、フレキシブルな表示手段２０が固定ボディ１０に固定される面を基準にヒンジ回転軸が位置する反対側に中心を有し、フレキシブルな表示手段２０の曲面形成ができるように曲面形成区間にわたってフレキシブルな表示手段２０が固定ボディ１０に接着され、又は固定されずに剥離される剥離現象が発生し得ることが分かる。
【００２２】
蓋板の１８０度以上オープン回転の遂行時固定ボディ１０からフレキシブルな表示手段２０の剥離現象を抑えると、蓋板３０の１８０度以上オープン回転の遂行時フレキシブルな表示手段２０が最小曲率もなく急激に折れてしまい、フレキシブルな表示手段２０の最小曲率の未確保によってフレキシブルな表示手段２０が破壊され、機能が喪失される問題点が発生し得る。
【００２３】
図４に示された通り、蓋板３０の１８０度以上オープン回転の遂行のための形状が構成品に反映されていない図１の一例において、強制的に蓋板３０の１８０度以上オープンの回転が遂行すると仮定すれば、蓋板３０のヒンジ側に位置したガイド壁３１とヒンジ回転軸が位置する反対側に曲面をなし、剥離されて曲がっているフレキシブルな表示手段２０の部分に互いにオーバーラップが発生される。
【００２４】
そして、固定ボディ１０側に位置するフレキシブルな表示手段２０の上部面の周りを圧迫しながら、固定ボディ１０に固定される固定板４０のヒンジ隣接終端部分とヒンジ回転軸が位置する反対側に曲面をなして剥離され、曲がっているフレキシブルな表示手段２０の部分に互いにオーバーラップが発生される。
【００２５】
また、図５に示された通り、蓋板３０の１８０度以上オープン回転の遂行のための形状が構成品に反映されていない図１の一例において、強制的に蓋板３０の強制的な１８０度以上オープンの回転が遂行すると仮定すれば、蓋板３０のヒンジ隣接部分と固定ボディ１０のヒンジ隣接部分に互いにオーバーラップが発生される。
【００２６】
図４及び図５に示されたそれぞれのオーバーラップが発生しないようにするためには、固定ボディ１０、蓋板３０及び固定板４０でオーバーラップ関連部分が除去されなければならず、図６及び図７は、これらのオーバーラップ関連部分の除去が行われなかった固定ボディ１０及び蓋板３０を示している。
【００２７】
図６に示された通り、蓋板３０の１８０度以上オープン回転の遂行が反映されていない固定ボディ１０は、蓋板３０のヒンジ形状部分が回動でき、空いた空間を最小化できるようにヒンジ回転軸に最大に近い範囲部分までかけてくれるヒンジ隣接部位形状を有する。
【００２８】
また、固定ボディ１０側に位置するフレキシブルな表示手段２０を圧迫しながら、固定ボディ１０に固定される固定板４０が固定ボディ１０に固定されるように固定ボディ１０の一側面には、固定板支持部１１が形成されており、蓋板３０のオープンの遂行時ヒンジの外面に支持されているフレキシブルな表示手段２０の弾性力が蓋板３０におけるフレキシブルな表示手段２０のスライディング力に切り替えられるように固定板支持部１１は固定ボディ１０のヒンジ回転軸に最大に近い位置まで形成されていることが好ましい。
【００２９】
図７に示された通り、蓋板３０の１８０度以上オープンの回転遂行を考慮しない蓋板３０のガイド壁３１は、ヒンジの外面を外れて平面状態を保持し、蓋板３０にスライディング支持されるフレキシブルな表示手段２０の映像が表示される面の反対面がヒンジの外面に接する位置から開始されて、フレキシブルな表示手段２０のスライディング方向にヒンジの回転軸を外れた任意の長さ部分まで形成され、フレキシブルな表示手段２０の安定的なスライディング支持のために蓋板３０の一側終端部分まで形成されることが好ましい。
【００３０】
図８は、図３、図４及び図５におけるオーバーラップ発生部位を除去した固定ボディ、蓋板及び固定板が適用された一例の斜視図であり、図９は、図８の一例において、１８０度以上オープンの遂行時、図５において発生したオーバーラップが発生しないことを示す斜視図であり、図１０は、図８の一例において、１８０度以上オープンの遂行時フレキシブルな表示手段の適用区間別変化を示す概念図である。
【００３１】
図８及び図９に示された通り、フレキシブルな表示手段２０の１８０度以上オープンする時干渉が発生する部分が除去されれば、フレキシブルな表示手段２０が完全な平面をなす状態で蓋板３０がオープン回転されてフレキシブルな表示手段２０が完全平面をなす完全オープン状態を保持することができ、その後同じオープン回転方向に蓋板３０の追加的なオープン回転が行われる１８０度以上オープンが可能となり、これを通じて次のような長所を有するようになる。
【００３２】
第一に、映像が表示される面が完全平面ではなく、ヒンジの回転軸を中心に緩やかなＶ字形態を有するように調節することによって、立体的に注視することができるようになる。
【００３３】
第二に、フレキシブルな表示手段２０を折りたたんで持ち歩く携帯の利便性以外にもノート型パソコンのように映像が表示される面の一部分は、傾いて建てられ、残りの部分は、使用者のタッチ入力が容易なるように寝かせた姿勢を保持できるようになる。
【００３４】
これらの長所を有するフレキシブルな表示手段２０の１８０度以上オープンすることは、フレキシブルな表示手段２０が折れていた状態で映像が表示される面の全体が完全平面をなす状態でオープン回転が行われた後、同じ回転方向に蓋板３０の追加的なオープン回転が行われて遂行される。
【００３５】
図９及び図１０に示された通り、フレキシブルな表示手段２０が折れていた状態で完全平面をなす状態にオープン回転が行われた後、同じ回転方向に蓋板３０の追加的なオープン回転が行われると、ヒンジの外面と接触されるフレキシブルな表示手段２０部分は、ヒンジの外面に支持されずにフレキシブルな表示手段２０が固定ボディ１０に固定される面を基準にヒンジ回転軸が位置する反対側に中心を有し、曲面をなして曲がるようになる。
【００３６】
このような状態で図１０に示されたフレキシブルな表示手段２０のＡ部分は、固定ボディ１０に平面状態で固定されているＡ１部分と固定ボディ１０の一面から剥離されて立ち上がって曲面に切り替わったＡ２の部分に分かれるようになる。
【００３７】
平面状態を保持するＡ１部分とは違って、ヒンジ回転軸が位置する反対側に中心を有し、最小曲率Ｒの曲面をなして曲がるＡ２部分は曲面を形成するために固定ボディ１０の一面に接着され若しくは固定されず、蓋板３０の１８０度以上オープン回転の遂行時固定ボディ１０の一面から剥離された状態を保持するようになる。
【００３８】
剥離状態を保持しなければならない剥離領域２１のＡ２部分は、ヒンジの外面とフレキシブルな表示手段２０の映像が表示される面の反対面が接する部分から固定ボディ１０側にＡ２部分が終わる範囲までが最小と要求される。
【００３９】
図１０に示されたフレキシブルな表示手段２０のＢ部分は、平面状態を保持し、蓋板３０にスライディング支持される部分であるＢ１部分と、ヒンジ回転軸が位置する反対側に曲面を成しながら曲がってヒンジの外面から外れたＢ２部分に区分される。
【００４０】
Ｂ１部分はガイド壁３１と領域オーバーラップが発生しないのに反して、Ｂ２部分はガイド壁３１と領域オーバーラップが発生し得、これによってＢ２部分に該当するガイド壁３１部分は領域オーバーラップを避けるために関連部分が除去される。
【００４１】
図１０に示されたフレキシブルな表示手段２０のＣ部分は、蓋板３０の追加的なオープン回転遂行とは関係なく、常に平面状態を保持し、蓋板３０にスライディング支持される状態を保持する。
【００４２】
図１１は、図８の場合に完全にオープンされる角より大きな角に、つまり１８０度以上オープンの遂行時オーバーラップが発生しないことを示す平面図及び正面図であり、図１２は、図１１の切断面Ｃ−Ｃ部位の断面図及びオーバーラップが発生しないことを示す部分詳細図であり、図１３は、図１１の切断面Ｄ−Ｄ部位の断面図及びオーバーラップが発生しないことを示す部分詳細図である。
【００４３】
図１２に示された通り、フレキシブルな表示手段２０のＡ２及びＢ２部分とオーバーラップが発生されるガイド壁３１のオーバーラップ関連部分が除去されれば、フレキシブルな表示手段２０が完全にオープンされた後、追加的に蓋板３０が同じ回転方向に回転して１８０度以上オープンが行われてもフレキシブルな表示手段２０がヒンジの回転軸が位置する反対側に曲面をなし、干渉なしに曲がることができるようになる。
【００４４】
そして、図９及び図１２に示された通り、固定ボディ１０の一面に位置するフレキシブルな表示手段２０の周りを押して固定ボディ１０に固定される固定板４０の終端がフレキシブルな表示手段２０のＡ２及びＢ２部分とオーバーラップが発生しないようにＡ２領域の外に適用位置が制限されれば、フレキシブルな表示手段２０が完全にオープンされた後、追加的に蓋板３０が同じ回転方向に回転して１８０度以上オープンが行われてもフレキシブルな表示手段２０がヒンジ回転軸が位置する反対側に曲面を成して曲がることができるようになる。
【００４５】
図１３に示された通り、蓋板３０のヒンジ隣接部分が固定ボディ１０のヒンジ隣接部位とオーバーラップが発生しないように固定ボディ１０のヒンジ隣接部位から第１の干渉回避部１２が除去されれば、フレキシブルな表示手段２０が完全にオープンされた後、追加的に蓋板３０が同じ回転方向に回転して１８０度以上オープンが行われてもフレキシブルな表示手段２０がヒンジの回転軸が位置する反対側に曲面を成して曲がることができるようになる。
【００４６】
図１４は、図８の一例において、１８０度以上オープンができるようにオーバーラップ発生部位が除去された固定ボディの平面図及び正面図であり、図１５は、図８の一例において、１８０度以上オープンができるようにオーバーラップ発生部位が除去された蓋板の平面図、正面図及び側面図であり、図１６は、図８の一例において、１８０度以上オープンができるように除去すべきオーバーラップ発生部位を幾何学的に示す概念図である。
【００４７】
図１４に示された通り、固定ボディ１０のヒンジ隣接部位には、蓋板３０の１８０度以上オープンの回転遂行時、蓋板３０とのオーバーラップ発生回避のための一定領域が除去された第１の干渉回避部１２が反映され、それとともに固定板４０の終端がフレキシブルな表示手段２０のＡ２及びＢ２部分とオーバーラップが発生しないように固定板支持部１１及び固定板４０のヒンジ隣接終端部分の適用範囲が制限される。
【００４８】
図１５に示された通り、フレキシブルな表示手段２０のＡ２及びＢ２部分と蓋板３０のガイド壁３１部分がオーバーラップされないようにガイド壁３１がヒンジの外面とフレキシブルな表示手段２０の映像が表示される面の反対面が接する部分からフレキシブルな表示手段２０のＢ１が開始される最小の範囲以上にわたって第２の干渉回避部３２が除去されたガイド壁３１が反映される。
【００４９】
フレキシブルな表示手段２０が完全にオープンされた後、追加的に蓋板３０が同じ回転方向に回転して１８０度以上オープンが遂行される場合、フレキシブルな表示手段２０は、曲面形成部分で最小曲率を保持し、オーバーラップによる干渉がないと仮定する場合、図１６に示された通り幾何学的な関係を保持する。
【００５０】
図１６に示されたフレキシブルな表示手段２０の幾何学的な関係を説明するために中心点Ｏを基準とする直角座標系を用いて指示文字を定義すると、次の通りである。
【００５１】
Ｏは、固定ボディ１０のヒンジ回転軸の中心点。
Ｐは、蓋板３０の１８０度以上オープン回転の完了時、フレキシブルな表示手段２０が固定ボディ１０に固定される面を基準にヒンジ回転軸の反対側に中心を有して形成されるフレキシブルな表示手段２０の曲面の中心点。
ｒは、固定ボディ１０と蓋板３０のヒンジの外面半径。
Ｒは、蓋板３０の１８０度以上オープン回転の完了時、フレキシブルな表示手段２０が固定ボディ１０に固定される面を基準にヒンジ回転軸の反対側に中心を有して形成されるフレキシブルな表示手段２０の映像が表示される面の曲面半径であり、ｒと同じ値を有し、若しくは異なる値を有し得る。
ＯＵＡは、１８０度以上オープン時の角度（Ｏｖｅｒ  Ｕｎｆｏｌｄｉｎｇ  Ａｎｇｌｅ）。
Ｔは、封止工程が完了されたフレキシブルな表示手段２０の厚さ。
Ｎは、フレキシブルな表示手段２０の完全な平面状態時、フレキシブルな表示手段２０の映像が表示される面の反対面とヒンジの外面が接する接点。
Ｈは、蓋板３０の１８０度以上オープン回転の完了時、固定ボディ１０側に位置するフレキシブルな表示手段２０部分が、固定ボディ１０の一面から半径Ｒの曲面を有して剥離し始めながら曲面に切り替え始める接点。
Ｌは、蓋板３０の１８０度以上オープン回転の完了時、蓋板３０側に位置するフレキシブルな表示手段２０の映像が表示される面の反対面がＲ＋Ｔの半径を保持しながら曲面に切り替え始める接点。
Ｍは、蓋板３０の１８０度以上オープン回転の完了時、接点Ｎが固定ボディ１０側に移動された位置。
Ｆは、線分ＭＬと線分ＨＮの交点。
中心点Ｏである扇形ＭＮ、交点Ｍ、交点Ｆ、交点Ｎからなる閉鎖領域は第１の干渉回避部１２に含まなければならない最小領域。
Ｘ１は、線分ＨＮの長さであり、固定板４０の終端が接点Ｎから離れて保持すべき剥離領域２１の最小距離。
Ｘ２は、線分ＭＬの長さであり、蓋板３０のガイド壁３１が接点Ｎから離れた距離を保持しながら形成し始めなければならない第２の干渉回避部３２の最小距離。
【００５２】
図１６における三角型ＯＦＮ、三角形ＯＦＭ、三角形ＰＦＨ及び三角形ＰＦＬは、相似の直角三角形であり、それによって角ＦＯＮ＝角ＦＯＭ＝角ＦＰＨ＝角ＦＰＬ＝１／２×ＯＵＡである。
【００５３】
三角関数を用いて交点Ｎ、交点Ｆ及び交点ＭのＸ軸及びＹ軸座標を計算すると次のようである。
【００５４】
交点ＮのＸ軸座標は０、Ｙ軸座標はｒであり、交点ＦのＸ軸座標は、−ｒ×ｔａｎ（１／２×ＯＵＡ）、Ｙ軸座標は０であり、交点ＭのＸ軸座標は、−ｒ×ｓｉｎ（ＯＵＡ）、Ｙ軸座標はｒ  ×ｃｏｓ（ＯＵＡ）である。
【００５５】
図１６に示された通り、蓋板３０のヒンジ隣接部分が固定ボディ１０のヒンジ隣接部分とオーバーラップされずに蓋板３０の１８０度以上オープンの回転が行われるためには、固定ボディ１０のヒンジ隣接部位の形状で四角形ＯＭＦＮ部分が最小に除去されなければならないことが分かる。
【００５６】
しかし、扇形ＯＭＮは、蓋板３０のヒンジ部位形状の回動のために固定ボディ１０部分から既に除去された部分であるので、追加的に除去すべき実際の部分は四角形ＯＭＦＮ部分から扇形ＯＭＮを除いた部分になり、これによって第１の干渉回避部１２の最小領域は、中心点Ｏである扇形ＭＮ、交点Ｍ、交点Ｆ、交点Ｎからなる閉鎖領域であることが分かる。
【００５７】
また、三角関数を用いて線分Ｘ１の長さを計算すると次のようである。
【００５８】
Ｘ１＝線分ＰＨの長さ×ｔａｎ（角ＦＰＨ）＋線分ＯＮの長さ×ｔａｎ（角ＦＯＮ）
＝｛１８０度以上オープン仮想半径（Ｒ）＋Ｔ｝×ｔａｎ（１／２×ＯＵＡ）＋固定ボディと蓋板のヒンジの外面半径（ｒ）×ｔａｎ（１／２×ＯＵＡ）＝（Ｒ＋ｒ＋Ｔ）×ｔａｎ（１／２×ＯＵＡ）
ここで、Ｘ１は固定板４０の終端が接点Ｎから離れて保持すべき剥離領域２１の最小距離であるので、
剥離領域２１の最小距離＝（Ｒ＋ｒ＋Ｔ）×ｔａｎ（１／２×ＯＵＡ）である。
【００５９】
同様に、線分Ｘ２の長さを計算すると次のようである。
【００６０】
Ｘ２＝線分ＯＭの長さ×ｔａｎ（角ＦＯＭ）＋線分ＰＬの長さ×ｔａｎ（角ＦＰＬ）
＝固定ボディと蓋板のヒンジの外面半径（ｒ）×ｔａｎ（１／２×ＯＵＡ）＋
｛１８０度以上オープン仮想半径（Ｒ）＋フレキシブルな表示手段の厚さ（Ｔ）｝×ｔａｎ（１／２×ＯＵＡ）
＝（Ｒ＋ｒ＋Ｔ）×ｔａｎ（１／２×ＯＵＡ）
ここで、Ｘ２は蓋板３０のガイド壁３１が接点Ｎから離れた距離を保持しながら形成し始めなければならない第２の干渉回避部３２の最小距離であるので、第２の干渉回避部３２の最小距離＝（Ｒ＋ｒ＋Ｔ）×ｔａｎ（１／２×ＯＵＡ）である。
【００６１】
フォールディング感知センサー５０は、蓋板３０のオープン回転角度を検出した後、図示及び叙述省略された制御部に転送する機能を行い、本発明の実施例を説明する図面には省略されている。
【００６２】
以上、添付された図面を参照して本発明の実施例を説明したが、本発明の属する技術分野における通常の知識を有する者は、本発明がその技術的思想や必須な特徴を変更せず他の具体的な形で実施されかねないということを理解することができるだろう。従って、以上で記述した実施例は例示的なものであり、限定的ではないと理解すべきである。
【符号の説明】
【００６３】
１０  固定ボディ
１１  固定板支持部
１２  第１の干渉回避部
２０  フレキシブルな表示手段
２１  剥離領域
３０  蓋板
３１  ガイド壁
３２  第２の干渉回避部
４０  固定板
５０  フォールディング感知センサー
【図１】
0006389566.tif 000002
【図２】
0006389566.tif 000003
【図３】
0006389566.tif 000004
【図４】
0006389566.tif 000005
【図５】
0006389566.tif 000006
【図６】
0006389566.tif 000007
【図７】
0006389566.tif 000008
【図８】
0006389566.tif 000009
【図９】
0006389566.tif 000010
【図１０】
0006389566.tif 000011
【図１１】
0006389566.tif 000012
【図１２】
0006389566.tif 000013
【図１３】
0006389566.tif 000014
【図１４】
0006389566.tif 000015
【図１５】
0006389566.tif 000016
【図１６】
0006389566.tif 000017